(57)【要約】      （修正有）【課題】マルチウェイスピーカの高音域側、低音域側に分かれたバイワイヤ端子とアンプの出力端子を接続するケーブルアダプターを提供する。【解決手段】マルチウェイスピーカ用ケーブルアダプター１０は、縦横寸法数十ｍｍの絶縁筐体９と、その壁面に設けられ、オーディオアンプの±出力端子に一端が各々接続された＋側と−側のケーブルの他端をそれぞれ接続するための２つの±入力端子１１、１２と、絶縁筐体９内部にて＋入力端子１１の電極部１１ａに半田接合などによって導電接続されるとともに絶縁筐体９から導出された２本乃至３本の＋側接続ケーブル＋ＷＨ，＋ＷＬと、絶縁筐体９内部にて−入力端子１２の電極部１２ａに導電接続されるとともに絶縁筐体９から導出された２本乃至３本の−側接続ケーブル−ＷＨ，−ＷＬと、を備える構成である。【選択図】図１
0003108356.tif 000002
【実用新案登録請求の範囲】
【請求項１】
絶縁筐体と、前記絶縁筐体の壁面に設けられ、オーディオアンプの±出力端子に一端が各々接続された＋側と−側のケーブルの他端をそれぞれ接続するための２つの±入力端子と、前記絶縁筐体内部にて前記＋入力端子に導電接続されるとともに前記絶縁筐体から導出された２本乃至３本の＋側接続ケーブルと、前記絶縁筐体内部にて前記−入力端子に導電接続されるとともに前記絶縁筐体から導出された２本乃至３本の−側接続ケーブルと、を備えることを特徴とするマルチウェイスピーカ用ケーブルアダプター。
【考案の詳細な説明】
【技術分野】
【０００１】
本考案は、オーディオ機器の分野におけるスピーカ用のケーブル（ワイヤとも称する。）の接続手段に関する技術分野に属する。
【背景技術】
【０００２】
オーディオ分野におけるスピーカとアンプとの接続関係について、図４に示されるように、左右（Ｌ，Ｒ）チャンネルのマルチウェイスピーカＳＰＬ，ＳＰＲ（２ウェイの場合）における高音域側のスピーカユニット（ツイーター）１の±入力端子（一般に、＋は赤色端子、−は白色端子に対応する。）と低音域側のスピーカユニット（ウーファー）２の±入力端子を分け、アンプ（メインアンプ）３側も各チャンネルにつき高音域側と低音域側の２つのアンプＡＭＰ１，ＡＭＰ２を備えて、それぞれを別個の２組のケーブルＷ１，Ｗ２で接続する構成の所謂バイアンプ、バイワイヤ方式のオーディオスピーカシステム（マルチアンプシステム）５が考案されている。
【０００３】
このバイワイヤ方式の主な目的は、低音域再生を受け持つウーファー２から発生した逆起電力が高音域再生を受け持つツイーター１側に回り込んで音質を劣化させるのを防ぐことにある。実際、バイワイヤ方式では、従来のクロスオーバーネットワークの場合よりも音質が良好であることが知られている。
【考案の開示】
【考案が解決しようとする課題】
【０００４】
現在、マルチウェイスピーカの入力端子は、上記のように高音域側と低音域側にそれぞれ別々に±入力端子（バイワイヤ端子という）を設けたバイワイヤ方式が主流となりつつあるが、各チャンネルのマルチウェイスピーカＳＰＬ，ＳＰＲに対して高音域側と低音域側にそれぞれ別個のアンプを備えることは調整が難しいことや、コスト面で負担が大きいために、通常は各マルチウェイスピーカＳＰＬ，ＳＰＲにおけるツイータとウーファーの＋入力端子同士、−入力端子同士はそれぞれ導体で導通されていて、実質的にマルチウェイスピーカであっても、入力は１組の±入力端子と１つのアンプの出力端子を２本のケーブルで接続して用いられているのが現状である。
【０００５】
即ち、図５及び図６に示されるように、２ウェイスピーカＳＰＲを例にアンプとの接続関係を説明すると、その高音域側と低音域側の各±入力端子同士をジャンパーと称される銅線材または銅板状（厚さ１ｍｍ、幅１０ｍｍ、長さ５０ｍｍ程度）のもの（それぞれジャンパー線７、ジャンパー板８という。）で繋いで導通させ、アンプ６の右チャンネル出力端子とは1組（２本）のスピーカ用ケーブルＷ２のみで繋いでしまっているために、低音域側のウーファーが振動系の慣性などで発電した歪信号（逆起電力）がアンプに充分に吸収されずに一部が前記ジャンパー線７やジャンパー板８の部分で即座にツイーター側に回り込んでしまうため、高音域側の信号が歪んで音質を劣化させてしまっている。結果的にマルチウェイスピーカにバイワイヤ端子を設けている意味が全く無くなっているのである。
【０００６】
なお、上記銅材などのジャンパー線７に代わるものとして、高級な線材を使用したジャンパー線の類が多数市販されているが、それらは単にジャンパー線の長さが延びるだけの違いであり、データを測定しても殆ど変化なく、根本的な解決に至っていない。
【０００７】
上記マルチウェイスピーカのバイワイヤー端子が効果を発揮するには、例えば図４に示されるように、１個の２ウェイスピーカ（例えば右チャンネルスピーカＳＰＲ）につきケーブルＷ１，Ｗ２を高域側と低域側に別々に２組（計４本）を２つのアンプの±出力端子とそれぞれ接続しなければならないが、現状では、1つのアンプでマルチウェイスピーカを駆動するオーディオシステムの組み合わせが現実に在るのである。
【０００８】
本考案は上記事情に鑑みてなされたものであり、１チャンネルにつき1つのアンプでマルチウェイスピーカを良好に駆動できるように接続可能にしたマルチウェイスピーカ用ケーブルアダプターを提供することを目的とする。
【課題を解決するための手段】
【０００９】
本考案は、絶縁筐体と、前記絶縁筐体の壁面に設けられ、オーディオアンプの±出力端子に一端が各々接続された＋側と−側のケーブルの他端をそれぞれ接続するための２つの±入力端子と、前記絶縁筐体内部にて前記＋入力端子に導電接続されるとともに前記絶縁筐体から導出された２本乃至３本の＋側接続ケーブルと、前記絶縁筐体内部にて前記−入力端子に導電接続されるとともに前記絶縁筐体から導出された２本乃至３本の−側接続ケーブルと、を備えることを特徴とするマルチウェイスピーカ用ケーブルアダプターを提供することにより、上記課題を解決する。
【考案の効果】
【００１０】
本考案に係るマルチウェイスピーカ用ケーブルアダプターは上記のような構成のため、
（１）従来のジャンパー線などに代えてマルチウェイスピーカの各±入力端子とアンプの出力端子との間に介在させて接続することにより、ジャンパー線やジャンパー板を用いてバイワイヤ端子を無効にしている場合に比べて低音域側端子と高音域側端子との配線の距離が長くなって相互干渉が減るという作用効果が得られる。
【００１１】
（２）また、低音域側と高音域側との間に介在する抵抗やインダクタンスが増えるため、結果、ウーファーからの逆起電力がツイーターに回り込む量が減って音質向上が見込まれる。
【００１２】
（３）低コストでマルチウェイスピーカを１つのアンプで良好に駆動することができる。
【考案を実施するための最良の形態】
【００１３】
本考案に係るマルチウェイスピーカ用ケーブルアダプターの実施の形態について図面に基づいて説明する。
【００１４】
図１は本考案の実施の形態のマルチウェイスピーカ用ケーブルアダプターの構造を説明するための図である。図２は本考案のマルチウェイスピーカ用ケーブルアダプターの使用形態を説明するための図である。図３は本考案のマルチウェイスピーカ用ケーブルアダプターを用いた場合のトーンバースト波測定の波形図である。図７はジャンパー板を用いたマルチウェイスピーカのツイーター側入力の場合のトーンバースト波測定の波形図である。図８はジャンパー線を用いたマルチウェイスピーカのウーファー側入力の場合のトーンバースト波測定の波形図である。図９はジャンパー線を用いたマルチウェイスピーカのツイーター側入力の場合のトーンバースト波測定の波形図である。図１０の（イ）、（ロ）、（ハ）、（ニ）はそれぞれ図７、図８、図９、図３の各トーンバースト波測定の測定状態を説明するための図である。
【００１５】
図１に示されるマルチウェイスピーカ用ケーブルアダプター１０は、合成樹脂（ポリプロピレン、ＰＢＴ、ＰＥＴ）などを成形してなる縦横寸法数十ｍｍの略直方体形状の絶縁筐体９と、前記絶縁筐体９の壁面に設けられ、図示されないオーディオアンプの±出力端子に一端が各々接続された＋側と−側のケーブルの他端をそれぞれ接続するための２つの±入力端子１１、１２と、前記絶縁筐体９内部にて前記＋入力端子１１の電極部１１ａに半田接合などによって導電接続されるとともに前記絶縁筐体９から導出された長さ１００〜３００ｍｍ程度の２本（乃至３本）の＋側接続ケーブル＋ＷＨ，＋ＷＬと、前記絶縁筐体９内部にて前記−入力端子１２の電極部１２ａに半田接合などによって導電接続されるとともに前記絶縁筐体９から導出された長さ１００〜３００ｍｍ程度の２本（乃至３本）の−側接続ケーブル−ＷＨ，−ＷＬと、を備える構成を特徴とする。
【００１６】
上記マルチウェイスピーカ用ケーブルアダプター１０は、図２に示されるように、その±入力端子１１、１２とアンプ６の左チャンネル（Ｌｃｈ）用の±出力端子がケーブルＷ１で繋がれ、前記＋側接続ケーブル＋ＷＨと前記−側接続ケーブル−ＷＨの１組ＷＨが左チャンネル２ウェイスピーカＳＰＬの高音域側（ツイータ１）の±入力端子にそれぞれ接続される。また、前記＋側接続ケーブル＋ＷＬと前記−側接続ケーブル−ＷＬの１組ＷＬが低音域側（ウーファー２）の±入力端子にそれぞれ接続される。
【００１７】
同様にして、アンプ６の右チャンネル（Ｒｃｈ）用の±出力端子と右チャンネル２ウェイスピーカＳＰＲとの間にも他のマルチウェイスピーカ用ケーブルアダプター１０´が接続される。
【００１８】
以上のように本マルチウェイスピーカ用ケーブルアダプター１０をチャンネル数だけ用意して、各チャンネルのマルチウェイスピーカのバイワイヤ端子とアンプの各チャンネルの出力端子との間に介在させることで、バイワイヤ端子を有効に活用することで音質が改善し、1つのアンプ出力でマルチウェイスピーカを良好に駆動することができる。
【００１９】
次に、本マルチウェイスピーカ用ケーブルアダプター１０を用いた場合と従来のジャンパー線などを用いた場合の計４通りの接続条件のトーンバースト波測定の比較結果を述べる（周波数は（ａ）５０Ｈｚ、（ｂ）１００Ｈｚ、（ｃ）２００Ｈｚの４波トーンバースト）。
【００２０】
なお、テスト機はＢ＆Ｗ社のＣＭＤ−１であり、測定電圧は極めて微小電圧なので４０ｄＢの低ノイズアンプで増幅してデジタルオシロスコープに入力している。使用したケーブルＷは線径１．８Φ、測定長さ約３００ｍｍの銅線である。
【００２１】
（イ）ジャンパー板の場合（測定状態は図１０の（イ）に示される。）は、高音域側−（白色）入力端子と低音域側−（白色）入力端子間の電圧差がほとんど無いので、２つの波形は誤差範囲内で一致している。
【００２２】
（ロ）ジャンパー線（低音域側入力端子にケーブルＷを接続）の場合（測定状態は図１０の（ロ）に示される。）は、低音域側の電圧にツイーター側への電流分がプラスされるので、Ｈ側電圧の方が僅かに大きくなっている。
【００２３】
（ハ）ジャンパー線（高音域側入力端子にケーブルＷを接続）の場合（測定状態は図１０の（ハ）に示される。）は、高音域側はジャンパー線部の電圧が加算されないので、低音域側よりも小さな値となる。
【００２４】
（ニ）本マルチウェイスピーカ用ケーブルアダプター１０を用いた場合（測定状態は図１０の（ニ）に示される。）は、高音域側−（白色）入力端子側（Ｂ点）にはほとんど電流が流れていないことが判る。僅かな電位差はアダプター内の共通部分で発生していると考えられる。
【００２５】
以上の測定結果から、本考案のマルチウェイスピーカ用ケーブルアダプター１０の有効性が確認される。
【００２６】
念のために付言すれば、以上の説明は２チャンネルオーディオシステムにおける２ウェイスピーカの場合であったが、勿論、３チャンネル以上の、例えば５．１ｃｈ，７．１ｃｈといったマルチチャンネルオーディオシステムに対しても本発明のマルチウェイスピーカ用ケーブルアダプター１０は用いることができる。
【００２７】
また、前記絶縁筐体９内部にて前記±入力端子の電極部に半田接合などによって導電接続されるとともに前記絶縁筐体９から導出される接続ケーブルを±それぞれ３本にすることで３ウェイスピーカ（高音域側、中音域側、低音域側）にも対応することができることは言うまでもない。
【図面の簡単な説明】
【００２８】
【図１】本考案の実施形態のマルチウェイスピーカ用アダプターの構造を説明するための図である。
【図２】本考案のマルチウェイスピーカ用アダプターの使用形態を説明するための図である。
【図３】本考案のマルチウェイスピーカ用アダプターを接続した場合のトーンバースト波測定の波形図である。
【図４】公知技術であるバイアンプ、バイワイヤ方式のオーディオスピーカシステムの形態例を説明するための図である。
【図５】ジャンパー線を用いたマルチウェイスピーカの現実の使用形態の例を示す図である。
【図６】ジャンパー板を用いたマルチウェイスピーカの現実の使用形態の例を示す図である。
【図７】ジャンパー板を用いたマルチウェイスピーカのツイーター側入力の場合のトーンバースト波測定の波形図である。
【図８】ジャンパー線を用いたマルチウェイスピーカのウーファー側入力の場合のトーンバースト波測定の波形図である。
【図９】ジャンパー線を用いたマルチウェイスピーカのツイーター側入力の場合のトーンバースト波測定の波形図である。
【図１０】（イ）〜（ニ）は、各トーンバースト波測定の測定状態を説明するための図である。
【符号の説明】
【００２９】
１    高音域側のスピーカユニット（ツイーター）
２    低音域側のスピーカユニット（ウーファー）
３、６    アンプ
５    オーディオスピーカシステム（マルチアンプシステム）
７    ジャンパー線
８    ジャンパー板
９    絶縁筐体
１０、１０´  マルチウェイスピーカ用ケーブルアダプター
１１    ＋入力端子
１１ａ  電極部
１２    −入力端子
１２ａ  電極部
ＡＭＰ１    高音域側のアンプ
ＡＭＰ２    低音域側のアンプ
ＳＰＲ    右チャンネルマルチウェイスピーカ
ＳＰＬ    左チャンネルマルチウェイスピーカ
Ｗ，Ｗ１，Ｗ２    ケーブル
＋ＷＨ，＋ＷＬ    ＋側接続ケーブル
−ＷＨ，−ＷＬ    −側接続ケーブル
【図１】
0003108356.tif 000003
【図２】
0003108356.tif 000004
【図３】
0003108356.tif 000005
【図４】
0003108356.tif 000006
【図５】
0003108356.tif 000007
【図６】
0003108356.tif 000008
【図７】
0003108356.tif 000009
【図８】
0003108356.tif 000010
【図９】
0003108356.tif 000011
【図１０】
0003108356.tif 000012